(57)【特許請求の範囲】
【請求項１】
絶縁材料からなる支持体(66)が、カードの挿入方向に平行な２つのエッジ(92,94)および、横断方向の少なくとも１つの後方エッジ(96)によって限定された開放したハウジング(70)をその上面(68)に含み、このハウジングは、カード(C)がその接続位置にあり、その後方横断方向エッジ(98)がハウジングの後方横断方向エッジ(96)と接しているときに、支持体のハウジングの底面に配置された電気コンタクト素子(78)のコンタクト端部(76)と相互作用する導電領域(74)を下方主面上に備えたカードを少なくとも部分的に受けるコネクタにおいて、
コネクタ中に挿入されている位置にカードを保持するための装置(172)を含み、また外形がカードの前方横断方向エッジ(99)の形状に対して相補的であるカット・アウトを有するリップ(174)を含み、引出しモードが手動であるか、または自動的であるかにかかわらずカードを引出すために、カードを解放するようにリップに作用してリップを垂直方向に変位させてそのロックを解除するように構成されていることを特徴とするコネクタ。
【請求項２】
カードは、コネクタからのその取出し方向に対応した方向にばねによって永続的に押されていることを特徴とする請求項１記載のコネクタ。
【請求項３】
リップは少なくとも１つの縦方向アームに接続されており、このアームが垂直方向に屈曲可能で、リップが実質的に垂直な平面において変位可能にされていることを特徴とする請求項１または２記載のコネクタ。
【請求項４】
リップはアームに弾性的な変形を生じさせるためにカムとして作用し、リップとカードの後方横断方向エッジとが相互作用する範囲において、リップは、カードがコネクタ中に挿入されたときに自動的に引っ込み、その後カードの対向部分で支持されることを特徴とする請求項１乃至３のいずれか１項記載のコネクタ。
【請求項５】
カードは、その前方横断方向エッジの近くに切取られた直線縁部を有しており、この直線縁部がカードのそのコネクタにおける位置のための方向付け手段を構成し、リップは、切取られたフラップを備えたカードの前方横断方向エッジの形状に対して相補的な外形を持つカット・アウトを有していることを特徴とする請求項２乃至４のいずれか１項記載のコネクタ。
【請求項６】
カードを引出す手段は、カードがハウジン内においてその引出しに対応した方向にスライドするようにこのカードに作用することを可能にするために、上方主壁に形成され、かつ挿入方向に平行に延在しているノッチを含んでいることを特徴とする請求項１記載のコネクタ。
【請求項７】
ノッチは、カードの後方横断方向エッジと相互作用する取出しツールの挿入を可能にするために、カードが挿入された位置にあるときに、カードの後方横断方向エッジと一致して少なくとも部分的に延在することを特徴とする請求項６記載のコネクタ。
【請求項８】
カードを引出すための手段は、カードの挿入位置と、カードが装置から少なくとも部分的に突出する取出し位置との間においてコネクタの支持体上でスライドするように取付けられた引出し搬送台を含み、この引出し搬送台は、カードの後方横断方向エッジに面して延在するアクチブな横断方向エッジを含み、この搬送台のスライド変位を制御するために外部からアクセス可能な手段が設けられていることを特徴とする請求項１記載のコネクタ。
【請求項９】
引出し搬送台は、カードの取出し位置に向かってばねにより弾性的に戻されることを特徴とする請求項８記載のコネクタ。
【請求項１０】
請求項１乃至９のいずれか１項によるコネクタが内部に配置される空洞をそれらの間に規定する上方壁および下方壁を備えた装置において、カードの平面に実質的に平行な方向におけるカードの装置への挿入、またはそれからの引出しのためのスロットを有していることを特徴とする電気的接続装置(30)。
【請求項１１】
カードは、挿入された位置において装置の内部に完全に配置されていることを特徴とする請求項１0記載の電気的接続装置。
【請求項１２】
カードが装置中に挿入された位置にあり、したがってコネクタのハウジング中の接続位置にある場合、カードの前方横断方向エッジは装置内に完全に配置され、挿入スロットの主エッジに関して少し内側に戻されて設定されることを特徴とする請求項１０または１１記載の電気的接続装置。
【発明の詳細な説明】
【０００１】
【産業上の利用分野】
本発明は、集積回路を備えたコンタクトカードを装置に接続するためのコネクタ、およびこのタイプのコネクタを備えた装置に関する。
【０００２】
【従来の技術】
スマートカードに含まれているデータを処理する任意の特定の電子装置へのスマートカードの接続は、一般に既知の一般的な設計のコネクタを介して実行され、このコネクタは絶縁材料から成る支持体を含み、この支持体はスマートカードを受けるその上面において開放したハウジングを備え、このスマートカードはその主面上において、コネクタの絶縁支持体のハウジングの下面に配置された電気コンタクト素子のコンタクト端部と相互作用する導電領域を含んでいる。
【０００３】
【発明が解決しようとする課題】
本発明の目的は、カードを挿入された位置に保持し、かつそれが偶発的に出てしまうことを防止できるコネクタの新しい構成を提供することである。
【０００４】
【課題を解決するための手段】
そのために、本発明は、コネクタ中に挿入されている位置にカードを保持するように構成され、また外形がカードの前方横断方向エッジのものに対して相補的であるカット・アウトを有するリップを含んでいる装置を含むコネクタを提供する。この装置は、カードを引出すために、引出しモードが手動であるか、または自動的であるかにかかわらず、カードを解放するようにリップを垂直方向に変位させるためにリップに作用させることによってそのロックを解除することを必要としている。
【０００５】
本発明の別の特徴によると、
カードは、コネクタからのその取出し方向に対応した方向にばねによって永続的に押され、
リップは少なくとも１つの縦方向アームに接続されており、このアームが垂直方向に屈曲可能で、リップが実質的に垂直な平面において変位することを可能にされ、
リップはアームの弾性的な変形を生じさせるためにカムとして作用し、リップとカードの後方横断方向エッジとが相互作用する範囲において、リップは、カードがコネクタ中に挿入されたときに自動的に引っ込み、その後カードの対向部分で支持され、
カードは、その前方横断方向エッジの近くに切取られた直線縁部を有しており、この直線縁部がカードのそのコネクタにおける位置のための方向付け手段を構成し、リップは、切取られたフラップを備えたカードの前方横断方向エッジの形状に対して相補的な外形を持つカット・アウトを有しており、
絶縁材料からなる支持体は、カードの挿入方向に平行な２つのエッジおよび、横断方向の少なくとも１つの後方エッジによって限定された開放したハウジングをその上面に含み、このハウジングが、カードがその接続位置にあり、その後方横断方向エッジがハウジングの後方横断方向エッジと接しているときに、支持体のハウジングの底面に配置された電気コンタクト素子のコンタクト端部と相互作用する導電領域を下方主面上に備えたカードを少なくとも部分的に受け、
カードを引出す手段は、カードがハウジン内においてその引出しに対応した方向にスライドするようにこのカードに作用することを可能にするために、上方主壁に形成され、かつ挿入方向に平行に延在しているノッチを含み、
ノッチは、カードの後方横断方向エッジと相互作用する取出しツールの挿入を可能にするために、カードが挿入された位置にあるときに、カードの後方横断方向エッジと一致して少なくとも部分的に延在しており、
カードを引出すための手段は、カードの挿入位置と、カードが装置から少なくとも部分的に突出する取出し位置との間においてコネクタの支持体上でスライドするように取付けられた引出し搬送台を含み、この引出し搬送台は、カードの後方横断方向エッジに面して延在するアクチブな横断方向エッジを含み、この搬送台のスライド変位を制御するために外部からアクセス可能な手段が設けられ、
引出し搬送台は、カードの取出し位置に向かってばねにより弾性的に戻されるように構成されている。
【０００６】
本発明はまた、本発明によるコネクタが内部に配置される空洞をそれらの間に規定する上方壁および下方壁を備えた装置であって、カードの平面に実質的に平行な方向におけるカードの装置への挿入、またはそれからの引出しのためのスロットを有していることを特徴とする装置を提供する。
【０００７】
この装置の別の特徴によると、
挿入された位置において、カードは装置の内部に完全に配置され、
カードが装置中に挿入された位置にあり、したがってコネクタのハウジングの接続位置にある場合、その前方横断方向エッジは装置内に完全に配置され、換言すると、それは挿入スロットの主エッジに関して少し内側に戻されて設定される。
【０００８】
本発明のその他の特徴および利点は、以下の詳細な説明および添付図面を参照することにより理解されるであろう。
【０００９】
【発明の実施の形態】
図１は、既知の一般的な設計の装置30を示し、これは本質的に、それぞれが切断され、打ち抜かれ、折曲げられたシート金属である上半分のシェル32と下半分のシェル34とを含む金属シェルから構成されている。
【００１０】
２つの部分32，34におけるシェルの形状および寸法は、ＰＣＭＣＩＡ規格に一致しており、さらにこの規格はまた、それが例えばパーソナルコンピュータに属する相補型に成形された標準規格化されたスロット（示されていない）中に挿入されることができるようにシェルの設計詳細を定めてその寸法を限定している。
【００１１】
印刷回路板36は、装置30の内部において半分のシェル32および34の間に配置され、この装置の全体平面と平行に延在し、またその縦方向の両端部では図１に概略的に示されたコネクタ38，40を支持し、用途に応じて一方または他方のコネクタが、装置30のその対応した縦方向の端部を閉鎖するプラグを構成する同じ寸法の素子によって置換されることができる。
【００１２】
装置の中間回路板を構成する印刷回路板は、その両面上に電子素子（示されていない）を受けることができる。
【００１３】
図１に示されているように、コネクタの１つ40は、例えば通信ラインに装置30を接続するプラグ42の接続を可能にするように設計されていてもよい。
【００１４】
上半分のシェル32は平坦な上方主壁44を限定しており、それは下半分のシェル34の平坦な下方主壁46と共同して内部空洞48（図２を参照）を限定し、この空洞の内部では印刷回路板36が壁44および46と平行に、かつ壁44および46の内面45および47の間のほぼ中間に延在している。
【００１５】
装置30の規格化された設計によると、それは横断方向において２つの対向した側壁50および52によって限定され、これら側壁50および52は装置30のほぼ縦方向に平行であり、また下半分のシェル34の折曲げられた垂直なエッジ54および56から構成されており、これらエッジ54および56はその１つ58が図１に示されている上半分のシェル32の両側エッジの周囲にクリンプ結合で固定されている。
装置30は単一のシェルにより生成されてもよい。
【００１６】
接続装置30の側壁50および52は、装置30を受けるように意図された規格化されたスロットに属する対応したスライド路（示されていない）中で装置30を案内するレールの形態で設計されている。
【００１７】
したがって、上半分のシェル32および下半分のシェル34は、60，62のように変形され、装置30の全体的な高さ、すなわちその中央部分の厚さより側壁50および52の高さを低くされている。
【００１８】
“ＭＩＣＲＯ  ＳＩＭ”タイプの集積回路を備えたコンタクトカードＣを受けるように意図されたコネクタ64が装置30の内部に配置される。
【００１９】
例えばフランス国特許出願第９５．１４７６７号明細書に記載され、図示されている既知の設計によると、コネクタ64は、本質的に絶縁材料から形成された支持体66から構成され、この支持体はその上面68においてハウジング70を限定し、このハウジング70はその形状がカードＣのものと相補的であり、導電性領域74を含む下面72を備えたカードＣを少なくとも部分的に受けるように意図されている。導電性領域74は、カードＣがハウジング70中に挿入される位置のときに、コネクタのコンタクトブレード78に属するコンタクト端部76と接触する。
【００２０】
コネクタ64は、絶縁材料の支持体66の下面67が印刷回路板36の上面37上に支持されている状態で取付けられるように構成されている。
【００２１】
装置30が組立てられ、印刷回路板10により支持されたコネクタ64により閉鎖されると、カードＣのコネクタ64への挿入および取出しを可能にするために、スロット80が設けられている。このスロット80は、図面に示されている好ましい実施形態では接続装置30の側壁50の１つの近くに配置されている。
【００２２】
特に図２に詳細に示されているように、挿入スロット80は本質的に、装置30の厚さの減少された側部部分に対応した平坦な部分84において延在する折曲げ部分60に上方主壁44を結合する上半分のシェル32の側部部分の傾斜部分82に延在している。
【００２３】
傾斜された部分82から切取られたスロット80と一致して延在している前記部分84の部分84´は、この部分84の全体平面に関して垂直方向に少し下向きに変形されている。
【００２４】
したがって、挿入スロット80は、２つの主エッジ86および88、並びに２つの端部エッジ90および92により限定される。
【００２５】
この実施形態において、このコネクタ64は円筒形のスタッドの形態の４個の脚部101 をその下面67上に備えており、これら脚部101 は、一方において脚部101 がその中に嵌込まれる対応した穴100 を備えた印刷回路板36上においてコネクタ64の位置を定めて固定するように、また他方において装置30の偶発的な破損を防止するために、コネクタ64が装置30の上方主壁44と下方主壁46との間におけるスペーサ機能を果たすことを可能にするように意図されている。
【００２６】
したがって、特に図４のａから認めることができるように、円筒形スタッドの形態であり、かつスペーサを形成している脚部101 の高さは、各脚部101 の下端面102 が下方主壁46の内面47と接触し、一方コネクタ64の絶縁支持体66の平坦な上面68が対向する上方主壁44の内面45を支持するように構成されている。
【００２７】
図３のａに示されているように、その前方エッジ112 に形成された凹部110 を備えたコネクタ64の設計、およびスロット80に関する印刷回路板36上におけるその位置は、コンタクトブレード78の接続端部がスロット80によって構成されている軸領域に関して少し戻されて設定されるように定められており、したがって金属物質がスロット80に挿入された場合の偶発的な短絡の危険性を回避している。
【００２８】
図４に示されるように、カードＣが装置中に挿入された位置にあり、したがってコネクタ64のハウジング70の接続位置にある場合、その前方横断方向エッジ99は装置30内に完全に配置される。換言すると、それは挿入スロット80の上方主エッジ86に関して少し内側に戻されて設定される。カードの完全な挿入を容易にするために、スロット80のエッジにおいて付加的な切込みが設けられてもよい。
【００２９】
したがって、コネクタ64を備えた装置30は、カードＣがパーソナルコンピュータの対応したスロット中に挿入されることを可能にするように、カードＣの挿入後は通常の装置と同じ輪郭“シルエット”を有する。
【００３０】
挿入スロット80の著しく小さい寸法は、装置30の全体的な構造を、換言するとその堅牢性を変化させず、またスロットは、装置が印刷回路板36によって支持されている素子（示されていない）に関して行なう電磁スクリーニング機能に影響を与えない。
【００３１】
図１乃至４に示されている第１の実施形態によると、カードＣが装置30から取出されることを可能にするために、ノッチまたは取出し溝114 が上方主壁44に設けられており、これは図４のｂにおいて鎖線で示されており、装置30に関してカードの挿入または取出し方向Ｉに平行に延在する。ノッチ114 は、カードＣの後方横断方向エッジ98の一側上に、好ましくはコンタクトブレード78に属する金属部分を含まないコネクタ64の領域の反対側で延在しているように位置される。
【００３２】
したがって、カードＣの前方横断方向エッジ99がスロット80を通って装置30から少なくとも部分的に現れるように、カードの後方横断方向エッジ98に作用するように小さいツールをノッチ114 中に挿入して、ノッチ114 の長さが許す行程にわたって図４のａの左から右にそれをスライドさせることによって、そのハウジング70からそれを押し出すことが可能であり、この最初の引出し過程の後、使用者はカードを掴んで、装置30からそれを完全に取出すことができる。
【００３３】
前述の“ＭＩＣＲＯ  ＳＩＭ”カードの標準規格の規定によると、カードＣはその前方横断方向エッジ99の近くに切取られた直線縁部116 を有しており、いくつかの適用に対して、この直線縁部116 はカードＣのそのコネクタにおける位置のための方向付け手段を構成する。
装置30中に挿入された位置にカードＣを保持し、偶発的に装置から部分的にでも脱出することを阻止するために、停止部を構成するように空洞48中に低い高さにわたって延在するボス120 が切取られた直線縁部116 と一致して上方主壁44に形成されてもよい。
ノッチ114 中に挿入されたツールを使用してカードが引出される場合、使用者は、切取られた直線縁部116 したがってカードＣの上面73が通過するときに、ボス120 によって構成された停止部が上方壁44の対応した部分の少し弾性の応力変形によって引っ込むように、ちょっとした努力を行わなければならない。
【００３４】
以下、上記の説明および図示されたものとは少し異なる設計のコネクタ64が、カードＣの手動引出し用の搬送台130 を備えた図５に示されている実施形態を説明する。
これに関して、コネクタ64の絶縁材料から成る支持体66はスライド路134 をその側部エッジ132 の一方に備えており、このスライド路134 上には引出し搬送台130 のスライドの形態の側部部分136 がスライドするように取付けられている。この側部部分136 はカードＣの厚さに対応した平面において支持体66の上面68上に突出する取出しタブ138 によって拡張されている。
取出しタブ138 は、引出し搬送台130 が“カード挿入”位置にあるとき（図５のａの実線で示されている）に、ハウジング70の後方横断方向エッジ96に接する後方横断方向エッジ140 によって限定される。タブ138 はまた前方横断方向エッジ142 によって限定され、それに対してカードＣの後方横断方向エッジ98が当接している。
引出し搬送台130 は、図５のａの左から右に向かって、そのカード挿入位置からカードＣの取出し位置にスライドすることが可能であり、その期間中にタブ138 のエッジ142 がカードの後方横断方向エッジ98と相互作用したために、カードＣの同時の変位を生じる。
【００３５】
引出し搬送台130 をスライドさせるために、スライドを形成している部分136 は、スライド136 の前部で突出していることを除き、上述されたノッチ114 に類似したノッチである、装置30の上面44におけるノッチに挿入される相補型に成形されたツールの端部を受けるように意図された穴144 を備えている。
この設計は、特にカードＣの後方横断方向エッジ98に対してツールで直接作用することを不要にし、したがってカードの損傷が避けられる利点がある。
さらに、金属スライド引出し搬送台130 のボード137 の形態の上面は、常にノッチ114 の前方に突出し、したがってノッチ114 の電磁閉鎖を確実にする。
【００３６】
以下、コネクタ64が、カードが自動的に取出されるカード引出し搬送台130 を備えている図６のａおよびｂに示された実施形態を説明する。
これに関して、引出し搬送台130 の設計は、図５を参照して説明されたものと類似しているが、それはカード取出し位置に弾性的に連続的に復帰する引っ張りコイルばね150 を具備している。
この結果、ばねの第１の端部152 は、スライド130 に属するラグ154 にフックで結合され、一方その反対側の端部156 はコネクタ64の絶縁体66と一体に形成されたラグ158 にフックで結合される。
引っ張りばね150 が存在するために、図６のａにおいてシルエットで示されているカードＣは、取出しタブ138 によって左から右に、換言するとコネクタ64から、したがって装置30からのその取出しに対応した方向に連続的に推し進められる。
【００３７】
挿入された位置に、すなわち図６のａにおいてシルエットで示されている位置にカードを保持するために、カード挿入位置に引出し搬送台130 をロックする手段が存在し、その手段は、カード挿入位置において、図６のｂに示されているように装置30の上方主壁44の対向した位置に形成された対応する開口162 に受取られるように意図されたロックフィンガ160 から構成されている。
【００３８】
フィンガ160 は、引出し搬送台130 の上面137 の平面においてこの引出し搬送台130 の本体から延在したアーム166 の端部に配置された例えばボスまたはボールから構成され、アーム166 から成るバーは、圧力がフィンガ160 上に加えられるツール（示されていない）を使用して、開口162 からロックフィンガ160 を解放するために弾性的な変形によって垂直下向きに曲げられることができ、フィンガ160 はその後装置中に引っ込められ、取出し行程中にフィンガ160 が上方主壁44の対向する内面45をこすりながら、ばね150 の作用の下にカードの自動的な取出しを可能にする。
【００３９】
カードが自動的に取出されることを可能にすることに加えて、取出しばね150 と関連した自動引出し搬送台130 の設計は、装置30におけるノッチ144 なしで済ませ、この搬送台130 の取出し行程中にロックフィンガ160 を構成しているアーム166 の端部またはアーム166 の上面167 の対向した部分のいずれかによって閉じられる簡単な小さい開口162 によってそれを置換することを可能にする。
【００４０】
以下、図７および８を参照して挿入スロット80を少なくとも部分的に閉じる手段の第１の示された実施形態を説明する。
これに関して、コネクタ64の絶縁材料から成る支持体66は図７のａの右側のその前方部分において修正され、閉鎖装置172 を固定した位置に取付ける２つの対向した縦方向のリブ170 を含んでいる。
【００４１】
装置172 は本質的に、全体的な外形が中空の半円筒形に湾曲された閉鎖リップ174 から構成され、その凸形上面176 がスロット80の前方近くに延在するように上向きにされている。
閉鎖リップ174 は、２つの縦方向の対向した平行なアーム178 に結合されており、この各アームは、コネクタ164 上に閉鎖装置172 を結合するためのＵ形状に湾曲されているタブ180 をその自由端に支持しており、この結合タブ180 中にリブ170 が挿入される。
閉鎖装置172 は、例えば薄い金属シートを切断し、打ち抜くことによって形成される。
【００４２】
図８に示されるように、閉鎖リップ174 を支持するアーム178 は、リブ170 の下面の平面において延在しており、それらが垂直方向に曲げられることによって実質的に垂直な平面において、リップ174 がカードＣがコネクタ64中に位置しているときの垂直に下方に引っ込められた位置と、カードが存在しない状態で、リップ174 がスロット80の前方に延在している図８のｃに示された正常な休止位置との間で変位することを可能にし、この場合、スロット80の寸法は、上述されたものより少し大きく、すなわちそれが装置の半分のシェル32の上面44に少し突出している。
閉鎖リップ174 は、カードＣの後方横断方向エッジ98がアーム178 の弾性的な変形を生じさせるカムとして作用する上面176 と相互作用するので、カードＣが方向Ｉに挿入されたときに自動的に引っ込み、その後リップ174 はカードＣの下面72の対向部分で支持される。
【００４３】
以下、本発明にしたがって、カードＣがコネクタ64および装置30の中に挿入された位置にそれを保持する装置も閉鎖装置172 によって構成される、図９に示された実施形態を説明する。
この実施形態では、アーム178 は少し長くなり、リップ174 は後方カット・アウト180 を含み、この外形は切取られたフラップ182 を備えたカードＣの前方横断方向エッジ99のものに対して相補的である。
カードが挿入位置にあるとき、後方カット・アウト180 のエッジはカードＣの前方横断方向エッジ99に面した状態で延在し、したがって、閉鎖装置172 はカードＣを挿入位置にロックする機能を果たし、カードを引出すことは不可能であり、カードが偶発的に脱出することが阻止される。
【００４４】
カードを引出すために、引出しモードが手動であるか、または自動的であるかにかかわらず、リップ174 がカードＣの平面の下を通過し、図９に関して左から右にスライドしてカードを装置30から解放するまで、それを垂直に下向きに変位させるためにスロット80を通してツール（示されていない）を使用してリップ174 に作用させることによって、そのロックを解除する必要がある。
【００４５】
図１０に示されている別の実施形態において、閉鎖装置172 は、図９に示されたものに類似しているが、図６のａおよびｂにおいて説明され、図示されたタイプの引出し搬送台130 と関連し、取出しばね150 を結合するラグ158 が閉鎖装置172 と一体に形成されている。
この設計のために、自動引出し搬送台130 は、挿入位置にカードをロックするためのそれ自身の手段を有することを必要としないので、簡単化されることができ、ロッキングは閉鎖装置172 によって確実に行われ、カードはその前方横断方向エッジ99がリップ174 の後方カット・アウト180 のエッジに当接するように、引出し搬送台130 によって連続的に押し進められる。
【００４６】
カードＣの自動引出しを行わせるために、図９を参照して説明された実施形態の場合のように、リップ174 を引っ込めさせて、カードＣの自動引出しを行わせ、このカードが引出し搬送台130 によって図１０において左から右に推し進められるようにスロット80を通してリップ174 に作用させるだけで十分である。
【００４７】
図１１に示された実施形態において、カードをロックする装置は、コネクタ64の絶縁体66上でピン202 を中心として回動するように取付けられたロック・バー200 から構成されており、取出しばね150 は、カードロック位置にロック・バー200 を連続的に推し進めるように、このバー200 によって支持されたラグ上にフックで結合されており、カードロック位置において、ロック・バー200 の後方カット・アウト180 は、特に図１１のａに示されているようにカードが挿入位置にあるとき、このカードＣの前方横断方向エッジ99の前方まで延在している。
ロック・バー200 の上面174 は、それが閉鎖スロット80において延在しているので、閉鎖リップ174 のものに等しい機能を果たす。
【図面の簡単な説明】
【図１】カードを接続するためのコネクタを備えた装置の主要部品の分解斜視図。
【図２】カードを装置に挿入するためのスロットの配置を拡大して示している図１に示された装置の詳細な斜視図。
【図３】装置に集積されることを意図されたスマートカードコネクタの第１の実施形態の平面図、およびこの平面図の矢印Ｆ４および矢印Ｆ５に沿って見た側面図。
【図４】カード挿入スロットの近くにおける印刷回路板上のコネクタの設置を示している、接続装置の部分的に切取った状態での平面図、およびこの図のライン７−７に沿った部分的断面図。
【図５】コネクタの第２の実施形態を示しており、この場合カード引出し搬送台の第１の別の実施形態を備え、この図ではカード挿入位置におけるカード引出し搬送台とカードが示されており、また部分的なカード取出し位置におけるそれらがシルエットで示されている図３に類似した平面図、この平面図における矢印Ｆ９に沿って見た図３に類似した側面図、および同平面図における矢印Ｆ１０に沿って見た図３に類似した側面図。
【図６】コネクタの第３の実施形態を示しており、この場合カード引出し搬送台の第２の別の実施形態を備え、この図ではカード挿入位置におけるカード引出し搬送台とカードが示されており、また部分的なカード取出し位置におけるそれらがシルエットで示されている図５に類似した平面図、およびこの図の矢印Ｆ１１Ａにおける引出し搬送台の設計の拡大斜視図。
【図７】図中に示されているスロット閉鎖手段を具備するように意図されたコネクタの、絶縁材料からなる支持体の第４の実施形態の斜視図、および図中に示された絶縁体を有するコネクタに適合されるように意図された閉鎖装置の斜視図。
【図８】図７に示されたコネクタおよび閉鎖装置を、カードが挿入位置にある状態で示している図４に類似した平面図、この平面図のライン１５−１５における図４に類似した部分的断面図、およびこの図に類似したカードのない状態での部分的断面図。
【図９】本発明にしたがって、カードが装置に挿入された位置でカードをロックするための装置の機能もまた満足させる閉鎖装置の別の実施形態を示している、図８に類似した部分的断面図。
【図１０】図９に示されたロックおよび閉鎖装置の別の実施形態が図６に示された自動引出し搬送台の別の実施形態と関連されて示されている、図９に類似した部分的断面図。
【図１１】カード挿入位置においてカードおよび引出し搬送台をロックする手段の別の実施形態を示している、図９に類似した部分的断面図、およびこの図におけるライン２１−２１に沿って見た断面図。
【図１】
0003974259.tif 000002
【図２】
0003974259.tif 000003
【図３】
0003974259.tif 000004
【図４】
0003974259.tif 000005
【図５】
0003974259.tif 000006
【図６】
0003974259.tif 000007
【図７】
0003974259.tif 000008
【図８】
0003974259.tif 000009
【図９】
0003974259.tif 000010
【図１０】
0003974259.tif 000011
【図１１】
0003974259.tif 000012